(57)【特許請求の範囲】
【請求項１】
目地部を介して設けられた左右の床躯体の一方の目地部側床躯体に形成された、反目地部側が傾斜面に形成された目地プレートスライド支持凹部と、この目地プレートスライド支持凹部と対向する部位の他方の目地部側床躯体の形成された目地プレート支持凹部と、この目地プレート支持凹部に後端部が支持され、先端部が前記目地プレートスライド支持凹部を覆うように支持された後部両側上面にピンケースがない目地プレート本体、この目地プレート本体の後端寄りの両側底面に前記目地部へ突出するように設けられ、かつ前部の下部より上部が目地部へ突出する弧状に形成された戻し部を備える一対の支持片とからなる目地プレートと、この目地プレートの一対の支持片を目地プレート本体の後端部が前記目地プレート支持凹部からの脱落を防止するとともに、前記目地プレートの先端部が上方へ回動でき、かつ目地プレートの後端部を目地プレート支持凹部の反目地部側へ位置させることができるように支持する、前記他方の床躯体の目地部側床躯体に固定された一対の支持片ホルダーとからなることを特徴とする床用目地装置。
【請求項２】
一対の支持片には一対の支持片ホルダーから脱落するのを防止するストッパーが設けられていることを特徴とする請求項１記載の床用目地装置。
【請求項３】
目地プレートは浅皿状の正方形あるいは長方形状の金属材製の目地プレート本体と、この目地プレート本体の後部寄りの両側底面に目地部へ突出するように設けられ、かつ先端部の下部より上部が目地部へ突出する弧状に形成された一対の支持片と、前記目地プレート本体内に充填されたモルタルあるいはコンクリートと、このモルタルあるいはコンクリートの上面に貼り付けられた複数個の床化粧板とで構成されていることを特徴とする請求項１、２いずれかに記載の床用目地装置。
【発明の詳細な説明】
【技術分野】
【０００１】
本発明は目地部を介して設けられた左右の建物の床躯体間あるいは一方の建物の床躯体と目地部を介して設けられた道路や地面等との間を車両等の走行ができるように接続する床用目地装置に関する。
【背景技術】
【０００２】
従来、この種の床用目地装置は、目地部を覆う目地プレートの後端両端部に、該目地プレートの先端部の上下方向の回動ができるように目地プレート支持凹部が形成された床躯体に固定された係合ピンと係合するピンケースが設けられている。
【０００３】
このため、目地プレートの上面に大理石等の床化粧板を貼り付けると、ピンケース部分を避けて設けるため、きれいに床化粧板が配置されないという欠点があるとともに、係合ピンとピンケースによって目地プレートを支持しているため、目地プレートがスムーズに回動できなかったり、係合ピンが損傷しやすく、目地プレートの後端部と目地プレート支持凹部の反目地部側の端部との間に隙間が生じやすいという欠点があった。
【先行技術文献】
【特許文献】
【０００４】
【特許文献１】特許第４９６９５５１号公報
【発明の概要】
【発明が解決しようとする課題】
【０００５】
本発明は以上のような従来の欠点に鑑み、目地プレートの上面に規則正しく床用化粧板を配置して固定することができるとともに、目地プレートの先端部をスムーズに上下方向に回動させることができ、かつ損傷しずらく、長期間の使用ができ、目地プレートの後端部と目地プレート支持凹部の反目地部側端部との間の隙間を小さくするように作用させることができる床用目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は目地部を介して設けられた左右の床躯体の一方の目地部側床躯体に形成された、反目地部側が傾斜面に形成された目地プレートスライド支持凹部と、この目地プレートスライド支持凹部と対向する部位の他方の目地部側床躯体の形成された目地プレート支持凹部と、この目地プレート支持凹部に後端部が支持され、先端部が前記目地プレートスライド支持凹部を覆うように支持された後部両側上面にピンケースがない目地プレート本体、この目地プレート本体の後端寄りの両側底面に前記目地部へ突出するように設けられ、かつ前部の下部より上部が目地部へ突出する弧状に形成された戻し部を備える一対の支持片とからなる目地プレートと、この目地プレートの一対の支持片を目地プレート本体の後端部が前記目地プレート支持凹部からの脱落を防止するとともに、前記目地プレートの先端部が上方へ回動でき、かつ目地プレートの後端部を目地プレート支持凹部の反目地部側へ位置させることができるように支持する、前記他方の床躯体の目地部側床躯体に固定された一対の支持片ホルダーとで床用目地装置を構成している。
【発明の効果】
【０００８】
以上の説明から明らかなように、本発明にあっては次に列挙する効果が得られる。
（１）請求項１により、目地プレート本体の後部寄りの両側底面に固定した一対の支持片と、この一対の支持片が支持される一対の支持片ホルダーによって、目地プレート本体を支持しているので、従来のようにピンケースとピンを用いるものに比べ、目地プレート本体の上面に規則正しく複数個の床化粧板を配置固定することができる。
したがって、目地プレートをきれいに仕上げることができる。
（２）前記（１）によって、一対の支持片の先端部の下部より上部が目地部へ突出する弧状に形成されているので、地震等によって目地プレートの先端部が上方へ回動したり、目地プレートが左右方向へ移動しても、目地プレート上に加わる荷重によって、一対の支持片の先端部が一対の支持片ホルダーに接触して、目地プレートの後端部を目地プレート支持凹部の反目地部側の端部方向へ移動させることができる。
したがって、常時目地プレートの後端部を目地プレート支持凹部の反目地部側の端部に位置させることができ、該部に隙間が生じるのを効率よく阻止することができる。
（３）前記（１）によって、一対の支持片が一対の支持片ホルダーに支持されることにより、目地プレート本体の目地プレート支持凹部からの脱落を防止できるとともに、目地プレート本体の先端部が上方へ回動するのがスムーズで、他方の床躯体の移動に沿って、目地プレートを移動させることができる。
（４）請求項２も前記（１）〜（３）と同様な効果が得られるとともに、ストッパーによって一対の支持片ホルダーから一対の支持片が脱落するのを確実に防止することができる。 
（５）請求項３も前記（１）〜（３）と同様な効果が得られる。
【図面の簡単な説明】
【０００９】
【図１】本発明を実施するための第１の形態の平面図。
【図２】図１の２−２線に沿う断面図。
【図３】図１の３−３線に沿う断面図。
【図４】本発明を実施するための第１の形態の目地プレートの一部破断平面図。
【図５】本発明を実施するための第１の形態の目地プレートの側面図。
【図６】本発明を実施するための第１の形態の目地プレートの底面図。
【図７】本発明を実施するための第１の形態の支持片ホルダーの取付け状態の平面図。
【図８】図７の８−８線に沿う断面図。
【図９】本発明を実施するための第１の形態の地震で目地部が狭くなり初めの状態の動作説明図。
【図１０】本発明を実施するための第１の形態の地震で目地部が狭くなった状態の動作説明図。
【図１１】本発明を実施するための第１の形態の元の状態へ戻る状態の動作説明図。
【図１２】本発明を実施するための第１の形態の地震で目地部が広くなった状態の動作説明図。
【図１３】本発明を実施するための第２の形態の平面図。
【図１４】図１３の１４−１４線に沿う断面図。
【図１５】図１３の１５−１５線に沿う断面図。
【図１６】本発明を実施するための第３の形態の平面図。
【図１７】図１６の１７−１７線に沿う断面図。
【図１８】図１６の１８−１８線に沿う断面図。
【図１９】本発明を実施するための第４の形態の平面図。
【図２０】図１９の２０−２０線に沿う断面図。
【図２１】本発明を実施するための第４の形態の支持片ホルダーの説明図。
【発明を実施するための形態】
【００１０】
以下、図面に示す本発明を実施するための形態により、本発明を詳細に説明する。
【００１１】
図１ないし図１２に示す本発明を実施するための第１の形態において、１は目地部２を介して設けられた左右の建物等の床躯体３、３間を接続する本発明の床用目地装置で、この床用目地装置１は前記左右の建物等の床躯体３、３の一方の目地部側床躯体３に形成された、反目地部側が傾斜面４に形成された目地プレートスライド支持凹部５と、この目地プレートスライド支持凹部５の底面を覆う金属材製の目地プレートスライド支持凹部下地材６と、前記目地プレートスライド支持凹部５と対向する部位の他方の床躯体の目地部側床躯体３に形成された目地プレート支持凹部７と、この目地プレート支持凹部７の底面を覆う金属材製の目地プレート支持凹部下地材８と、この目地プレート支持凹部下地材８の後端部が支持され、先端部が前記目地プレートスライド支持凹部下地材６を覆うように取付けられた後端両側部にピンケースがない目地プレート本体９、この目地プレート本体９の後部寄りの両側底面に、前記目地部２内へ突出するように設けられ、かつ前部の下部より上部が目地部２へ突出する弧状に形成された戻し部１０、１０を有する一対の支持片１１、１１とからなる目地プレート１２と、この目地プレート１２の一対の支持片１１、１１を目地プレート本体９の後端部が前記目地プレート支持凹部下地材８からの脱落を防止するとともに、前記目地プレート１２の先端部が上方へ回動でき、かつ目地プレート１２の後端部を目地プレート支持凹部下地材８の反目地部側へ位置させることができるように支持する、前記他方の床躯体３の目地部側床躯体３に固定された目地プレート支持凹部下地材８に溶接固定された一対の支持片ホルダー１３、１３とで構成されている。
【００１２】
前記目地プレート１２は図４ないし図６に示すように、浅皿状の正方形あるいは長方形状、本発明の実施の形態では長方形状で、後端部の下部位置が円弧状の金属材製の目地プレートケース１４、この目地プレートケース１４内へ充填されたモルタルあるいはコンクリート１５、このモルタルあるいはコンクリート１５の上面に規則正しく貼り付けられた複数個の大理石等のタイルやレンガ等の床化粧板１６、前記目地プレートケース１４の先端上部にヒンジ部材１７を介して、先端部が上下方向に回動できるように取付けられたカバープレート１８とからなる目地プレート本体９と、この目地プレート本体９の後端寄りの両側底面に前記目地部２へ突出するように溶接固定された一対の支持片本体１９、１９、この一対の支持片本体１９、１９の前部に形成された下部より上部が前記目地部２内へ突出する弧状に形成された戻し部１０、１０、前記一対の支持片本体１９、１９の下端部に一体成形された、前部へ突出するストッパー２１、２１とからなる一対の支持片１１、１１とで構成されている。
【００１３】
前記一対の支持片ホルダー１３、１３はコ字状の支持片ホルダー本体２２、２２と、この支持片ホルダー本体２２、２２の両側の下部と一体成形された三角形状の支持部２３、２３とで構成されている。
【００１４】
上記構成の床用目地装置１は、通常状態では図１ないし図３に示すように左右の建物等の床躯体３、３間の目地部２は、該床躯体３、３の上面と上面がほぼ同一面となる目地プレート１２によって覆われ、人や車両が通行することができる。
【００１５】
地震で左右の床躯体３、３が揺れ動き、目地部２が狭くなる場合、まず図９に示すように目地プレート１２は他方の床躯体３の目地プレート支持凹部下地材８の反目地部側の端部８ａと一体になって、一方の床躯体３側へ押された状態となるため、目地プレート１２の先端部は傾斜面４に沿って上方へ回動するように押し出されるが、カバープレート１８によって目地プレート本体９の先端部と一方の床躯体３の床面３ａとの間が開口状態になることはない。
【００１６】
さらに、目地部２が狭くなると、図１０に示すように目地プレート１２の先端部が上方へ突出する状態になるが、この状態でもカバープレート１８の先端部が一方の床躯体３の床面３ａに当接した状態を保っている。
【００１７】
地震での揺れ動きが停止し、元の状態へ左右の床躯体３、３が戻ると、図１１に示すように目地プレート１２の一対の支持片１１、１１は他方の床躯体３の目地部側床躯体３に固定された一対の支持片ホルダー１３、１３によって元の位置へ戻るように引っ張られる。  
【００１８】
この時、一対の支持片ホルダー１３、１３の目地部の中央部側の上端部１３ａは一対の支持片１１、１１の戻し部１０、１０と当接するため、目地プレート本体９が少し上方へ押し上げられるが、目地プレート本体９に人や車両の重量が加わると、一対の支持片ホルダー１３、１３の目地部の中央部側の上端部１３ａと接触している一対の支持片１１、１１の戻し部１０、１０が下降するため、目地プレート支持凹部下地材８と目地プレート１２の後端部との間の隙間が小さくなる方向に目地プレート１２が移動する。
【００１９】
なお、目地プレート１２の上端部が上方へ回動しながら移動する状態では、一対の支持片１１、１１のストッパー２１、２１が一対の支持片ホルダー１３、１３に当接して、該一対の支持片ホルダー１３、１３より一対の支持片１１、１１が抜け脱するのが防止され、目地プレート１２の目地プレート支持凹部下地材８からの脱落が防止される。
【００２０】
地震で左右の床躯体３、３が揺れ動き、目地部２が広くなると、図１２に示すように他方の床躯体の目地部側床躯体３に固定された一対の支持片ホルダー１３、１３によって、一対の支持片１１、１１が一方の床躯体３より離れる方向に移動するため、目地プレート１２の先端部は目地プレートスライド支持凹部下地材６上をスライド移動して、その揺れ動きを吸収する。
【００２１】
揺れ動きが停止する時は、目地部２が狭くなる時と同様に、目地プレート１２の後端部を他方の床躯体の目地プレート支持凹部下地材８によって押し、元の位置へ戻す。
【００２２】
[発明を実施するための異なる形態]
次に、図１３ないし図２１に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２３】
図１３ないし図１５に示す本発明を実施するための第２の形態において、前記本発明を実施するための第１の形態と主に異なる点は、一対の支持片１１、１１の下部位置に、一対の支持片ホルダー１３、１３の両側下部に当接して、該一対の支持片ホルダー１３、１３より一対の支持片１１、１１が抜けないようにストッパーピン２１ａ、２１ａを用いたストッパー２１Ａ、２１Ａを取付けた点で、このような一対の支持片１１、１１を用いて構成した床用目地装置１Ａにしても前記本発明を実施するための第１の形態と同様な作用効果が得られる。
【００２４】
図１６ないし図１８に示す本発明を実施するための第３の形態において、前記本発明を実施するための第１の形態と主に異なる点は、一方の床躯体３に形成した目地プレートスライド支持凹部５と他方の床躯体３に形成した目地プレート支持凹部７に直接目地プレート７を支持させるとともに、他方の床躯体３の目地部側床躯体３にアンカーボルト２４等によって固定することができる、ハット形鋼形状の一対に支持片ホルダー１３Ａ、１３Ａを用いた点で、このように構成した床用目地装置１Ｂにしても、前記本発明を実施するための第１の形態と同様な作用効果が得られるとともに、安全に設置することができる。
【００２５】
なお、前記本発明の各実施の形態では目地プレート本体９の先端部にだけカバープレート１８を設置したものについて説明したが、本発明はこれに限らず、後端部にもヒンジ部材を介してカバープレートを設置してもよい。
【００２６】
図１９ないし図２１に示す本発明を実施するための第４の形態において、前記本発明を実施するための第１の形態と主に異なる点は、一対の支持片１１、１１
と当接する部位にローラー２５をそれぞれ備えた一対の支持片ホルダー１３Ｂ、１３Ｂを持ちいるとともに、目地プレート１２の後端部を他方の目地部側床躯体３方向に不勢するスプリング２６を一端部を目地プレート１２の後端部寄りの中央部に取り付け、他端部を目地プレート支持凹部下地材８に取り付けた点で、このように構成した床用目地装置１Ｃにしても、前記本発明を実施するための第１の形態と同様な作用効果が得られるとともに、一対の支持片１１、１１と一対の支持片ホルダー１３Ｂ、１３Ｂとの損傷や騒音の発生を効率よく防止することができる。
【００２７】
また、本発明の各実施の形態では左右の建物等の床躯体３、３間の目地部２を覆う場所に使用するものについて説明したが、本発明はこれに限らず、一方が建物の床躯体で他方が道路や地面等の床躯体間の目地部を覆う場所や、一方が道路や地面等の床躯体で、他方が道路や地面等の床躯体間の目地部を覆う場所にも同様に使用することができる。
【００２８】
さらに、前記本発明の第１、第２の実施の形態の目地プレート１２をスプリング２６を用いて、他方の目地部側床躯体３方向に常時不勢できるようにしてもよい。
【００２９】
また、前記本発明の各実施の形態では目地プレートスライド支持凹部５および目地プレート支持凹部７に目地プレートスライド支持凹部下地材６と目地プレート支持凹部下地材８を設置するものについて説明したが、本発明はこれに限らず、目地プレートスライド支持凹部５および目地プレート支持凹部７に直接目地プレート１２を設置しても良い。
【産業上の利用可能性】
【００３０】
本発明は目地部を介して設けられた左右の床躯体間を人や車両の通行が可能に接続する床用目地装置を製造する産業で利用される。
【符号の説明】
【００３１】
１、１Ａ、１Ｂ、１Ｃ：床用目地装置、２：目地部、
３：床躯体、        ４：傾斜面、
５：目地プレートスライド支持凹部、  
６：目地プレートスライド支持凹部下地材、
７：目地プレート支持凹部、
８：目地プレート支持凹部下地材、
９：目地プレート本体、    １０：戻し部、
１１：支持片、      １２：目地プレート、
１３、１３Ａ、１３Ｂ：支持片ホルダー、
１４：目地プレートケース、
１５：モルタルあるいはコンクリート、
１６：  床化粧板、      １７：ヒンジ部材、
１８：カバープレート、    １９：支持片本体、
２１、２１Ａ：ストッパー、
２２：支持片ホルダー本体、  ２３：支持部、
２４：アンカーボルト、        ２５：ローラー、
２６：スプリング。
【図１】
0005959013.tif 000002
【図２】
0005959013.tif 000003
【図３】
0005959013.tif 000004
【図４】
0005959013.tif 000005
【図５】
0005959013.tif 000006
【図６】
0005959013.tif 000007
【図７】
0005959013.tif 000008
【図８】
0005959013.tif 000009
【図９】
0005959013.tif 000010
【図１０】
0005959013.tif 000011
【図１１】
0005959013.tif 000012
【図１２】
0005959013.tif 000013
【図１３】
0005959013.tif 000014
【図１４】
0005959013.tif 000015
【図１５】
0005959013.tif 000016
【図１６】
0005959013.tif 000017
【図１７】
0005959013.tif 000018
【図１８】
0005959013.tif 000019
【図１９】
0005959013.tif 000020
【図２０】
0005959013.tif 000021
【図２１】
0005959013.tif 000022